(57)【特許請求の範囲】
【請求項１】
自動車のフロントガラス下側のカウル部における空気取入れ口に配設され、一部に複数の貫通孔からなる通気孔を形成してなるカウルカバーにおいて、
前記通気孔は、前記カウルカバーの下面側開口面積を大きく、上面側開口面積を小さく形成され、かつ、前記カウルカバーの下面側と上面側とを連結する壁面が傾斜面として、該傾斜面角度が、３度乃至１０度の勾配範囲で前記下面側に拡開する勾配範囲を有して構成しており、
さらに、前記通気孔間に当該通気孔の吸気方向に向かってリブが立設されていることを特徴とするカウルカバー。
【請求項２】
前記通気孔の上面側開口面積が、０．２〜０．４ｃｍ２であると共に、前記通気孔の水平断面形状が、前記自動車の車幅方向寸法と前後方向寸法とが、実質的に同一であることを特徴とする請求項１記載のカウルカバー。
【発明の詳細な説明】
【０００１】
【発明の属する技術分野】
本発明は、自動車のフロントガラス下側のカウル部における空気取入れ口に配設されるカウルカバーに関する。
【０００２】
【従来の技術】
この種のカウルカバーは、自動車のフロントガラス下端部からカウル部全体を覆うべく、略板状のもので、車体の形状に合わせて適宜三次元曲面に形成されており、車室内に外気を取り入れるための貫通孔からなる通気孔或いはワイパー駆動軸を挿通させる軸孔などを形成して構成している。
【０００３】
そして、前記通気孔は、落ち葉や雪などがカウル部のエアボックス内に入り込まないように、小径の円孔群や小辺の角孔群からなるメッシュ部に形成されており、ＡＢＳやポリプロピレンなどの樹脂からなるカウルカバーを射出成形する際に一体に形成されている。
【０００４】
上記のような形状を有するカウルカバーを成形する場合、成形後のカウルカバーを成形金型から離型するためには、前記通気孔は数度の抜き勾配を付けている。
【０００５】
このような通気孔に抜き勾配を付けたものとして、従来、例えば特許第２８１７７７５号公報に記載されているものが知られている。
【０００６】
このカウルカバー(カウルルーバ)は、自動車のフロントガラスの下側のカウル部の空気取入れ口に配設され、一部に複数の貫通孔からなる通気孔を形成して構成しており、該通気孔が下面面積を小さく、上面面積を大きくし、かつ、その上面面積と下面面積との間の厚みを１mm当り片側の壁面が０．１mm以上大きくして、５〜６度の傾きを有するテーパー通気孔となるものである。また、前記テーパー通気孔は５〜６度以上の傾きを有するものも知られている。
【０００７】
【発明が解決しようとする課題】
しかしながら、上記のように構成する従来のカウルカバーにあっては、上記したような大きな角度の勾配を有する通気孔は、カウルカバーの上面において拡開するようにすり鉢状の傾斜面で形成されているために、下面面積が小さくなってしまい、上面面積が大きい割には通気性能が低くなってしまう。
【０００８】
この通気性能を上げるためには、カウルカバーに対する通気孔の開口密度を上げるという対策が考えられるが、このような対策は、カウルカバーにおける上面側の意匠上好ましくなく、このために、開口密度も通気孔の通気性能を満足するまでに上げられないことになる。
【０００９】
また、通気孔の上側面積が大きいために、この通気孔を通して、カウルボックス内部まで外部から見えやすくなって、この部位における美観を損ねることになる。
【００１０】
本発明は、かかる点に鑑み、カウルカバーにおける通気孔による開口密度を意匠上問題がないように上げることができ、しかも、カウルボックス内部が外部から観察しにくくなしたカウルカバーを提供することを目的としている。
【００１１】
【課題を解決するための手段】
上記目的を達成するために、請求項１記載の本発明によるカウルカバーは、自動車のフロントガラス下側のカウル部における空気取入れ口に配設され、一部に複数の貫通孔からなる通気孔を形成し、前記通気孔は、前記カウルカバーの下面側開口面積を大きく、上面側開口面積を小さく形成され、かつ、前記カウルカバーの下面側と上面側とを連結する壁面が傾斜面として、該傾斜面角度が、３度乃至１０度の勾配範囲で前記下面側に拡開する勾配範囲を有して構成しており、さらに、前記通気孔間に当該通気孔の吸気方向に向かってリブが立設されていることを特徴とするものである。
【００１２】
本発明によれば、カウルカバーにおける通気孔の上面側開口面積が、下面側開口面積に比して小さく形成されている結果、外部に表出する通気孔が小径となり、視覚的に細かいメッシュ状の意匠面に形成でき、上面側開口において視覚的な開口密度がさほど高くなくとも、下面側開口においては非視覚的であるために開口密度を上げることができて、通気性を向上させることができる。また、所定の通気性を得ようとすれば、カウルカバーに占める通気部の全体面積を必要最小限で小さく設定できることになる。
【００１３】
また、通気孔の上部側開口面積が小さいために、下部側開口の端縁が見えにくく、これに伴いエアボックス内が外部から見えにくくなる。
【００１４】
上記した上面側開口面積を必要最小限小さく設定するとは、通気孔から異物、虫、枯葉、雪などを通さない限度の大きさに設定するということであり、異物などが通気部の上面側開口に入り込まないように設定することである。
【００１５】
このように設定することにより、当然ながら、異物等は通気孔の上面側開口よりほとんど入り込まないことになる。
【００１６】
従って、異物などはカウルカバーの非開口部である一般部の方に転がるなどして、通気孔の上面側開口内に入り込むのを防止でき、異物などが通気孔を閉塞するような事態が発生しないばかりでなく、エアボックス内に入る異物等がカウルボックス内に入り込むのを防止できる。
【００１７】
エアボックス内に異物等が入り込まないということは、エアボックス内に入り込んだ異物等の腐敗による異臭を発することがなく、車室内に異臭の取りこみも防止ないし低減できる。
【００１８】
しかも、前記カウルカバーの一般部においては、異物等は、雨水やウインドウオッシャ液等により車体外へ排出することができる。
【００１９】
また、カウルカバーの成形時においては、樹脂流動断面は極度に不足することがなく、成形品表面側に確保でき、狭窄部を成形品裏面側にできるので、ガス抜き等の構造を成形金型に容易に設定でき、また最小のエア溜まりによって成形品の外観を損なうことはなく、成形しやすい。
【００２０】
また、通気孔の上面側開口面積が、０．２〜０．４ｃｍ2であると共に、通気孔が、円孔等水平断面形状が自動車の車幅方向寸法と前後方向寸法とを実質的に同一になるように構成しているために、自動車の車幅方向寸法と前後方向寸法とを揃えた開口形状となって、実質的な開口面積を大きくとれ、通気抵抗を少なくすることができる。
【００２１】
従って、通気孔は、円孔に限るものでなく、その水平断面形状が、自動車の車幅方向寸法と前後方向寸法が実質的に同一である、例えば、正方形やこの正方形及び円の中間的な形状である正六角形、正八角形或いはこれら多角形の角部をコーナーＲ形状としたものが考えられる。
【００２２】
【発明の実施の形態】
以下、本発明における実施の形態について、図１乃至図５を用いて説明する。
【００２３】
図１は本発明における実施の形態によるカウルカバーを取付けた自動車前部の斜視図、図２は同じくカウルカバーの斜視図、図３は図２における拡大III−III断面図、図４は図３におけるａ円内の拡大断面図、図５は図３におけるｂ矢視図である。
【００２４】
先ず図１において、カウルカバー１は、自動車ＸのフロントガラスＢの下側におけるカウル部２０の空気取入れ口に配設され、ボンネットＡの後部下側からフロントガラスＢの下側にかけてカウル部２０の上面を覆う略板状部材により構成されている。なお、Ｃはカウルカバー１に設けたワイパー駆動軸(不図示)に軸支されたワイパーアーム、Ｄはエンジンルームである。
【００２５】
そして、カウルカバー１は、図２に示すように、左右半部２，３を組合せた車幅方向に長尺の部品であり、左右半部２，３とも黒色に着色されたポリプロピレンを射出成形して形成するものである。
【００２６】
カウルカバー１の車体前方には、ボンネットＡの後端部に沿ったアーチ形状の隆起部である上段部５があり、その車体前方は水平な前段部６、後方は緩やかに傾斜する後段部８となっている。
【００２７】
前段部６には、所定の間隙を持って、自動車Ｘの車体Ｘ1への取付け穴７が複数個設けてある。
【００２８】
上段部５には、その前縁に沿って、通気部１１が形成され、また、後段部８の車体Ｘ1の左右には、通気部１２、１３がそれぞれ形成されている。そして、これら通気部１１，１２，１３は複数個の通気孔１５ａ，１５ｂ，１５ｃがそれぞれ複数個設けられて構成しており、通気部１１はボンネットＡの後端部によって覆われるようになっているも、通気部１２，１３はボンネットＡに覆われず表出している。
【００２９】
通気孔１５ａ，１５ｂ，１５ｃは、同一の直径からなる円孔であり、同一のピッチで配列されて意匠的に統一感を持たせている。
【００３０】
また、図３乃至図５に示すように、通気部１２、１３は、通気孔１５ｂ、１５ｃの周囲壁厚ｔ1がカウルカバー１の通気部１２、１３以外の一般部壁厚ｔ0に比較して、薄肉に形成され構成している。
【００３１】
更に、互いに隣合う通気孔１５ｂ、１５ｂ、または１５ｃ、１５ｃの間には、それぞれ、車体Ｘ1の下方即ち吸気方向に向かって第１のリブ１６が立設されており、また、通気部１２，１３の周縁部には、第２のリブ１７が立設されている。第２のリブ１７は、第１のリブ１６に対して、吸気方向に若干長く延在するように形成されている。
【００３２】
そして、通気孔１５ｂ、１５ｃは、図４に詳細に示すように、下側開口部１５１の面積を大きく、上側開口部１５２の面積は下側開口部１５１の開口面積より小さく(通常０．２から０．４ｃｍ2である)形成しており、下側開口部１５１と上側開口部１５２とを連結する壁面１５３を傾斜角αの傾斜面としている。傾斜角αは微小の角度３度乃至１０度であり、好ましくは５度である。
【００３３】
また、一般部壁厚ｔ0の寸法は、例えば２．５ｍｍに対して、周囲壁厚ｔ1の寸法は例えば１．６ｍｍに設定して、ｔ1／ｔ0の関係を略２／３としている。
【００３４】
更に、図５に示すように、通気孔１５ｂ（１５ｃ）の壁面１５３は、シボ面となっており、シボの深さは例えば４０μｍの梨子地シボであって均一で微細な凹凸で、成形と同時に成形品に転写されてマット(艶消し)状を成している。
【００３５】
艶消し塗装を施す場合、微細通孔の立面(法面)に塗料の粒子がつきにくいが、成形時にシボをつけてしまえば、通気部１２，１３の光沢処理ができる。また、塗装をせずに一般面をシボ加工により光沢処理する場合にも、通気部１２,１３にもシボがついているので、全体として光沢が押さえられ、外観が良好である。また、通気部１２，１３の板厚は、一般部に比して薄いので、離型抵抗が少なく、厚みの分傾斜面を多めに設定できることから、離型を意識した浅いシボで妥協しなくとも、必要な深さのシボを付与して充分な艶消し効果を得ることができる。
【００３６】
以上のように構成する本発明実施の形態によれば、カウルカバー１における通気孔１５ｂ、１５ｃの上面側開口１５２の面積が、下面側開口１５１面積に比して小さく形成されている結果、外部に表出する通気孔１５ｂ、１５ｃが小径となり、視覚的に細かいメッシュ状の意匠面に形成でき、上面側開口１５２において視覚的な開口密度がさほど高くなくとも、下面側開口１５１においては非視覚的であるために開口密度を上げることができて、通気性を向上させることができる。
【００３７】
また、所定の通気性を得ようとすれば、カウルカバー１に占める通気部１２，１３の全体面積を必要最小限で小さく設定できることになる。
【００３８】
また、通気孔１５ｂ，１５ｃの上部側開口１５２の面積が小さいために、下部側開口１５１の端縁が見えにくく、これに伴いエアボックス内が外部から見えにくくなる。
【００３９】
上記した上面側開口１５２の面積を必要最小限小さく設定するとは、通気孔１５ｂ、１５ｃから異物、虫、枯葉、雪などを通さない限度の大きさに設定するということであり、異物などが通気部１２，１３の上面側開口１５２に入り込まないように設定することである。具体的には通気孔の上面側開口面積を０.４ｃｍ2とするとき、上記異物等の通過を抑えることができるし、通気性能上は少なくとも０．２ｃｍ2以上とすればよい。
【００４０】
このように設定することにより、当然ながら、異物等は通気孔１５ｂ，１５ｃの上面側開口１５２よりほとんど入り込まないことになる。
【００４１】
従って、異物などはカウルカバー１の非開口部である一般部の方に転がるなどして、通気孔の上面側開口内に入り込むのを防止でき、異物などが通気孔を閉塞するような自体が発生しないばかりでなく、エアボックス内に入る異物等がカウルボックス内に入り込むのを防止できる。
【００４２】
また、カウルカバー１の成形時においては、樹脂流動断面は極度不足することがなく、成形品表面側に確保でき、狭窄部を成形品裏面側にできるので、ガス抜き等の構造を成形金型に容易に設定でき、また最小のエア溜まりによって成形品の外観を損なうことはなく、成形しやすい。
【００４３】
更に、上記のように構成するカウルカバー１を成形する金型(不図示)においては、例えば通気孔１５ｂ或いは１５ｃの互いに隣合ういずれか４つを選び、この４つの通気孔に囲まれる箇所に、金型のエジェクタピン(不図示)を配設することによって、この箇所には第１のリブ１６が存在することになって、エジェクタピンにより樹脂成形品を突いたとしても、第１のリブ１６による樹脂成形品の変形や破損を生ずることなく、前記金型から成形品を取り出すことができ、同時にエジェクタピンとそれが進退する金型側の通孔との間の隙間を利用して、ガスベントを行うことができる。
【００４４】
このような構造は成形品の表面に型部品の分割線として現れるので、一般に車体２０に組付けるときに非意匠面に設けるのが好ましいが、リブ１６の存在部位であるために、ガスが溜まりやすく且つ補強効果が得られる箇所であるために、ガスベントを兼ねたエジェクタピンを設けるのに最も適することになる。
【００４５】
また、通気孔１５ｂ，１５ｃの上面側開口１５２の面積が、０．２〜０．４ｃｍ2であると共に、通気孔１５ｂ，１５ｃが円孔で構成するために、通気孔１５ｂ，１５ｃの水平断面形状における自動車Ｘの車幅方向寸法と前後方向寸法とが、実質的に同一、即ち自動車Ｘの車幅方向寸法と前後方向寸法とを揃えた開口形状となって、実質的な開口面積を大きくとれ、通気抵抗を少なくすることができる。
【００４６】
従って、通気孔１５ｂ，１５ｃは、円孔に限るものでなく、その水平断面形状が、自動車の車幅方向寸法と前後方向寸法が実質的に同一である、例えば、正方形やこの正方形及び円の中間的な形状である正六角形、正八角形或いはこれら多角形の角部をコーナーＲ形状としたものが考えられる。
【００４７】
なお、通気孔１５aも、通気孔１５ｂ或いは１５ｃと同一構成を採用することができる。
【００４８】
【発明の効果】
本発明によれば、カウルカバーにおける通気孔の上面側開口面積が、下面側開口面積に比して小さく形成されている結果、外部に表出する通気孔が小径となり、視覚的に細かいメッシュ状の意匠面に形成でき、上面側開口において視覚的な開口密度がさほど高くなくとも、下面側開口においては非視覚的であるために開口密度を上げることができて、通気性を向上させることができる。  また、所定の通気性を得ようとすれば、カウルカバーに占める通気部の全体面積を必要最小限で小さく設定できることになる。
【００４９】
また、通気孔の上部側開口面積が小さいために、下部側開口の端縁が見えにくく、これに伴いエアボックス内が外部から見えにくくなる。
【００５０】
上記した上面側開口面積を必要最小限小さく設定するとは、通気孔から異物、虫、枯葉、雪などを通さない限度の大きさに設定するということであり、このように設定することにより、上記異物等は通気孔の上面側開口よりほとんど入り込まないことになる。
【００５１】
従って、異物などはカウルカバーの非開口部である一般部の方に転がるなどして、通気孔の上面側開口内に入り込むのを防止でき、異物などが通気孔を閉塞するような自体が発生しないばかりでなく、エアボックス内に入る異物等がカウルボックス内に入り込むのを防止できる。
【００５２】
エアボックス内に異物等の異臭を起す原因となるものが入り込まないので車室内に異臭の取り込みも防止ないし低減できる。
【００５３】
しかも、前記カウルカバーの一般部においては、異物等は、雨水やウインドウオッシャ液等により車体外へ排出することができる。
【００５４】
また、カウルカバーの成形時においては、樹脂流動断面は極度に不足することがなく、成形品表面側に確保でき、狭窄部を成形品裏面側にできるので、ガス抜き等の構造を成形金型に容易に設定でき、また最小のエア溜まりによって成形品の外観を損なうことはなく、成形しやすい。
【００５５】
また、通気孔の上面側開口面積が、０．２〜０．４ｃｍ2であると共に、通気孔が円孔等自動車の車幅方向寸法と前後方向寸法が実質的に同一であるように構成するために、通気孔の水平断面形状における自動車の車幅方向寸法と前後方向寸法とが、実質的に同一、即ち自動車の車幅方向寸法と前後方向寸法とを揃えた開口形状となって、実質的な開口面積を大きくとれ、通気抵抗を少なくすることができる。
【図面の簡単な説明】
【図１】本発明における実施の形態によるカウルカバーを取付けた自動車前部の斜視図である。
【図２】同じくカウルカバーの斜視図である。
【図３】図２における拡大III-III断面図である。
【図４】図３におけるａ円内の拡大断面図である。
【図５】図３におけるｂ矢視図である。
【符号の説明】
１    カウルカバー
１２，１３  通気部
１５ｂ，１５ｃ  通気孔
１５１  下側開口部
１５２  上側開口部
１５３  傾斜面
２０  カウル部
Ａ    ボンネット
Ｂ    フロントガラス
Ｘ  自動車
Ｘ1  車体
α    傾斜面１５３の角度
【図１】
0004258076.tif 000002
【図２】
0004258076.tif 000003
【図３】
0004258076.tif 000004
【図４】
0004258076.tif 000005
【図５】
0004258076.tif 000006